(57)【要約】【課題】反転復帰機構を構成するベール支持部材の反転開放操作に連動する移動部材をロータに装着するに際し、ロータのアーム部の後方への短縮化を図りながら、リール全体の小型化と組込み作業性の向上を可能とした魚釣用スピニングリールを提供することである。【解決手段】本発明は、釣糸案内部１０を有するベール支持部材９を釣糸巻き取り位置と釣糸放出位置に反転自在に支持した魚釣用スピニングリールにおいて、前記ベール支持部材９の反転操作に連動して移動するキックレバー３３（移動部材）を有し、前記キックレバー３３は前記ロータ３のアーム部３ａの後端部に形成された支持突起３Ｃ（支持部）により支持され、前記キックレバー３３は、前記アーム部３ａに装着されるカバー体３６の内面３６ａに当接することで、抜け止め保持されていることを特徴とする。【選択図】    図２
2011030500.tif 000002
【特許請求の範囲】
【請求項１】
リール本体と、前記リール本体に設けられ、ハンドルの巻き取り操作に連動回転するロータとを備え、前記ロータのアーム部に、釣糸案内部を有するベール支持部材を釣糸巻き取り位置と
釣糸放出位置に反転自在に支持した魚釣用スピニングリールにおいて、前記ベール支持部材の反転操作に連動して移動する移動部材を有し、前記移動部材は前記ロータのアーム部の後端部に形成された支持部により支持され、前記移動部材は、前記アーム部に装着されるカバー体の内面に当接することで、抜け止め保持されていることを特徴とする魚釣用スピニングリール。
【請求項２】
前記ロータのアーム部の後端部に規制部を形成し、前記規制部の内部に前記カバー体の端部を係合したことを特徴とする請求項１に記載の魚釣用スピニングリール。
【発明の詳細な説明】
【技術分野】
【０００１】
本発明は、ハンドルの巻き取り操作に連動回転するロータに、釣糸案内部を有するベール支持部材を釣糸巻き取り位置と釣糸放出位置に反転自在に支持した魚釣用スピニングリールに関する。
【背景技術】
【０００２】
魚釣用スピニングリールは、ハンドルの巻き取り回転操作によって連動回転するロータ及び前後動するスプールを備えた構造となっており、前記ロータには、スプールの周りを回転する一対のアーム部が設けられている。この一対のアーム部の先端には、釣糸案内部を有するベール支持部材が振り分けバネによって反転可能に支持されており、通常、仕掛けを放出する際には、ベール支持部材を釣糸放出位置に反転させ、釣糸に人差し指を引っ掛けて釣竿を振り下ろす操作が成される。
【０００３】
その後、前記ロータを釣糸巻き取り方向に回転させることによって前記ベール支持部材を巻き取り位置に切り替える反転復帰機構を組み込んだ魚釣用スピニングリールが例えば、特許文献１に開示されている。
【０００４】
この公知文献に開示されている反転復帰機構は、ベール支持部材の反転開放操作に連動する移動部材（揺動部材）を設け、釣糸巻き取り方向に回転した際、リール本体に設けたカム部に接触することで、ベール支持部材に復元方向への力を作用させる構成となっており、前記移動部材は、ロータのアーム部の基端部にスプールと反対方向のリール本体側（後方側）から取り付けられるネジによって、回転可能に抜け止め支持されている構造となっている。
【特許文献１】実開平６−４６４６５号公報
【発明の概要】
【発明が解決しようとする課題】
【０００５】
上記した公知技術における魚釣用スピニングリールのロータのアーム部の後端部は、移動部材を後方側から回転可能にネジ止めする構成になっているため、ネジの頭部が張り出すことにより、後方への寸法が長くなってしまう。その結果、リール全体が大型化してしまう。また、部品点数が多くなると共に、後方からのネジ止め作業なので、組込性が悪い、等の問題がある。
【０００６】
本発明は、上記した問題に着目してなされたものであり、反転復帰機構を構成するベール支持部材の反転開放操作に連動する移動部材をロータに装着するに際し、ロータのアーム部の後方への短縮化を図りながら、リール全体の小型化と組込み作業性の向上を可能とした魚釣用スピニングリールを提供することを目的とする。
【課題を解決するための手段】
【０００７】
上記した目的を達成するために、本発明は、リール本体と、前記リール本体に設けられ、ハンドルの巻き取り操作に連動回転するロータとを備え、前記ロータのアーム部に、釣糸案内部を有するベール支持部材を釣糸巻き取り位置と釣糸放出位置に反転自在に支持した魚釣用スピニングリールにおいて、前記ベール支持部材の反転操作に連動して移動する移動部材を有し、前記移動部材は前記ロータのアーム部の後端部に形成された支持部により支持され、前記移動部材は、前記アーム部に装着されるカバー体の内面に当接することで、抜け止め保持されていることを特徴とする。
【０００８】
また、前記ロータのアーム部の後端部に規制部を形成し、前記規制部の内部に前記カバー体の端部を係合したことを特徴とする。
【発明の効果】
【０００９】
上記した構成の魚釣用スピニングリールによれば、ロータのアーム部に装着される外観保護用のカバー体によって、前記移動部材の抜け止め保持をも行う構成としたことにより、前記移動部材の抜け止め用のネジは不要となり、構成の簡素化と部品点数の削減が図れると共に、ネジの頭部の高さの分、カバー体を前記移動部材に接近させることが可能となり、ロータのアーム部の後方への短縮化を図りながら、リール全体の小型化が可能となる。また、移動部材のロータのアーム部の後方側からのネジ締め付け工程が不要となり、組立て作業時の効率も良い。
【００１０】
また、カバー体の端部をロータのアーム部の後端部に形成した規制部の内部に係合することで、反転復帰操作の繰返しで移動する移動部材によって、カバー体が変形することが確実に阻止され、抜け止め保持効果がより強固なものになり、安定した反転復帰性能が得られる。
【産業上の利用可能性】
【００１１】
本発明は魚釣用スピニングリール全般に利用できる。
【図面の簡単な説明】
【００１２】
【図１】本発明に係る魚釣用スピニングリールの第１の実施形態を示す図であり、内部構成を示した図。
【図２】図１に示す主要部の拡大図。
【図３】図１のＡ−Ａ線に沿った断面図。
【図４】スプール及びロータ部分の側面図であり、釣糸巻き取り状態を示す図。
【図５】図４に示すカバー体を取り外した状態を示す図。
【図６】スプール及びロータ部分の側面図であり、釣糸放出状態を示す図。
【図７】図６に示すカバー体を取り外した状態を示す図。
【図８】図４のＢ方向視の底面図。
【図９】本発明に係る魚釣用スピニングリールの第２の実施形態を示す図であり、主要部を拡大した図。
【図１０】第２の実施形態における、図４のＢ方向視に対応する底面図。
【図１１】図１０のＣ−Ｃ線に沿った主要断面図。
【図１２】変形例の主要部の拡大図。
【発明を実施するための最良の形態】
【００１３】
図１から図８は、本発明に係る魚釣用スピニングリールの第１の実施形態を示す図であり、図１は、内部構成を示した図、図２は、図１に示す主要部の拡大図、図３は、図１のＡ−Ａ線に沿った断面図、図４は、スプール及びロータ部分の側面図であり、釣糸巻き取り状態を示す図、図５は、図４に示すカバー体を取り外した状態を示す図、図６は、スプール及びロータ部分の側面図であり、釣糸放出状態を示す図、図７は、図６に示すカバー体を取り外した状態を示す図、そして、図８は、図４のＢ方向視の底面図である。
【００１４】
魚釣用スピニングリール１は、釣竿に装着するための竿取付け部２Ａが形成されたリール本体２と、リール本体前方に回転可能に配されたロータ３と、ロータ３の回転運動と同期して前後動可能に配されたスプール５と、ロータ３を回転駆動すると共に、スプール５を前後動させるように、リール本体２に回転可能に支持されたハンドル６とを有している。
【００１５】
前記ロータ３には、一対のアーム部（腕部）３ａが形成されており、夫々アーム部３ａの前端部には、ベール７の基端部を取り付けたベール支持部材９が、釣糸巻き取り位置と釣糸放出位置に反転可能に振り分け保持されている。なお、ベール７の一方の基端部は、ベール支持部材９に装着されるラインスライダー９ａに一体的に設けられ、ベール支持部材９の前部とラインスライダー９ａとの間に、スプール５に釣糸を案内する釣糸案内部１０が取り付けられている。
【００１６】
前記リール本体２内には、前記ハンドル６が装着されたハンドル軸６ａが回転可能に支持されている。前記ハンドル軸６ａには、巻き取り駆動機構が係合しており、この巻き取り駆動機構は、ハンドル軸６ａに一体回転可能に装着された駆動ギヤ１２と、この駆動ギヤ１２に噛合するピニオン歯部１３ａを有する共に、ハンドル軸６ａと直交する方向に延出し且つ内部に軸方向に延在する空洞部が形成された回転駆動軸としてのピニオン１３とを備えている。
【００１７】
前記ピニオン１３は、ピニオン歯部１３ａの前側と後側において、リール本体２に対して軸受１４，１４´により回転可能に支持されている。また、ピニオン１３は、スプール５側に向けて延出しており、その先端部に前記ロータ３が締め付けナットを介して取り付けられている。なお、ピニオン歯部１３ａの前側の軸受１４は、一端がピニオン歯部１３ａの前端、及びリール本体２の前端部中央に形成された凹所の支持部２ａに突き当てられており、他端が後述する転がり式一方向クラッチ１５との間に介挿される抜け止め部材２０によって軸方向で抜け止めされる。一方、ピニオン歯部１３ａの後側の軸受１４´は、ピニオン歯部１３ａの後端とリール本体２に形成された支持部２ｂとの間で挟持されることにより軸方向で固定される。
【００１８】
また、ピニオン歯部１３ａの前側に配置した軸受１４の前方側のピニオン１３上には、転がり式一方向クラッチ１５が配設されており、ロータ３の釣糸巻取り方向の回転を許容し、釣糸繰出し方向の逆回転を防止する公知の逆転防止機構を構成している。
【００１９】
この一方向クラッチ１５は、公知のように、ピニオン１３に対して回り止め嵌合された内輪１５ａと、内輪１５ａの外側に配された保持器１５ｂと、保持器１５ｂの外側に配された外輪１５ｃとを有しており、前記外輪１５ｃの内周面には、保持器１５ｂによって保持された複数の転動部材１５ｄがフリーに回転できるフリー回転領域と、複数の転動部材の回転を阻止する楔領域とが形成されている。
【００２０】
前記ピニオン１３の内部に形成された空洞部には、ハンドル軸６ａと直交する方向に延出し、先端側に前記スプール５を装着したスプール軸５ａが軸方向に移動可能に挿通されている。また、ピニオン１３には、スプール５（スプール軸５ａ）を前後往復動させるための公知のスプール往復動装置２１が係合している。
【００２１】
このような構成を有する魚釣用スピニングリールにおいて、ハンドル６により巻き取り操作を行なうと、ロータ３が巻き取り駆動機構を介して回転駆動される共に、スプール５がスプール往復動装置２１を介して前後往復動されるので、釣糸は、前記釣糸案内部１０を介してスプール５の巻回胴部５ｂに均等に巻回される。また、釣糸の放出（仕掛けの投擲）は、ベール支持部材９（ベール）を、図４に示す位置から図６に示す位置に反転操作して、釣糸を釣糸案内部１０から外した状態にして、人差し指で釣糸を引っ掛け、釣竿を振り下ろすことで行なわれる。
【００２２】
次に、釣糸を放出すべくベール支持部材９を反転操作し、仕掛けを投入した後、ハンドル６を回転させることにより、ベール支持部材９を巻き取り状態に復帰させる装置（以下、ベール復帰装置３０と称する）の構成について説明する。なお、本実施形態における
ベール復帰装置３０は後述する誤復帰防止装置も兼ね備えている。
【００２３】
ベール復帰装置３０は、ロータ３の一方のアーム部３ａ内に配設されており、本実施形態では、釣糸案内部１０が設けられている側のアーム部内に配設されている。そして、前記ベール支持部材９は、アーム部３ａ内にネジ２３によって回動可能に支持されると共に、後述する振り分けバネによって、釣糸放出位置と釣糸巻き取り位置に振り分け付勢保持されるよう構成されている。
【００２４】
前記アーム部３ａの底部には、公知のように筒状の保持体３ｃ（図５、図７において回動中心点を符号Ｃで示す）が回動可能に支持されており、この保持体３ｃの内部には、シャフト３１が挿通支持されている。このシャフト３１の一端側には、外側に屈曲した突部３１ａが形成されており、この突部３１ａがベール支持部材９の内側の回動支持部近傍に回動可能に支持されている。また、シャフト３１の他端側は、リール本体側に向けて延出しており、ベール支持部材９が図４、図５の釣糸巻き取り位置から、図６、図７の釣糸放出位置に反転された際に、その端部３１ｂが、移動部材を構成するキックレバー３３に係合可能となっている。
【００２５】
前記保持体３ｃと突部３１ａとの間には、コイル状の振り分けバネ（圧縮コイルバネ）３５が配設されており、ベール支持部材９を釣糸巻き取り位置と釣糸放出位置との間で振り分け保持するようになっている。具体的には、振り分けバネ３５は、コイル状に構成されてシャフト３１を囲繞するように配され、一端が保持体３ｃの底部に保持され、他端がシャフト３１に設けられたバネ止め凸部３１ｃによって抜け止めされたリング３１ｄに係止されており、ベール支持部材９を、図５及び図７に示す両状態にデッドポイントを境に振り分け付勢保持している。なお、上記した保持体３ｃ、シャフト３１、キックレバー３３等の部材は、アーム部３ａに装着されるカバー体３６を取り外すことで露出される（図５から図７参照）。
【００２６】
図２及び図３に示すように、ロータ３の円筒部３Ｂのリール本体側基端部と、アーム部３ａとの間の接続領域には、その後方側（図２における左側）において前記キックレバー３３の支持部である支持突起３Ｃが形成されており、この支持突起３Ｃには、前記キックレバー３３がロータの回転軸と略直交する面内において回動可能に支持されている。キックレバー３３は、その長手方向の略中央部が支持突起３Ｃに対して回動可能に支持されている。前記カバー体３６は、板状の金属材や樹脂材で略L字状に折曲形状に構成され、ロータ３のアーム部３ａに取着することで、カバー体３６の折曲部３６ｃの内面３６ａ がキックレバー３３の表面に当接、または、当接可能に近接してキックレバー３３は、支持突起３Ｃに回転可能に支持された状態で抜け止め保持される。なお、支持突起３Ｃは別部材でアーム部３ａの後端部に一体化してもよい。
【００２７】
このカバー体３６は、ロータ３のアーム部３ａに対して容易に着脱できるように、螺合によって取着されている。すなわち、アーム部３ａには、雌ネジ部３Ｆが形成されている。これにより、雄ネジ３Ｅを螺合することでカバー体３６は抜け止め固定される。
【００２８】
前記キックレバー３３の一側部には、アーム部３ａの内部空間に位置するように、係合突部３３ａが保持体３ｃ側の前方側に向けて突出形成されており、ここに、ベール支持部材９が図５から図７の釣糸放出位置へ反転操作された際、それに伴って保持体３ｃ内をリール本体２側に向けて後方へ移動する前記シャフト３１の端部３１ｂが係合するようになっている。
【００２９】
また、キックレバー３３の一側部の係合突部３３ａと反対側の他側部にはキック部３３ｄが形成され、支持突起３Ｃを中心として回動された際、ロータの径方向内方の中心側に向けて入り込むようになっており、その入り込むキック部３３ｄの前方側の部分には、更にブレーキ体３３ｂが並設されている。この場合、ブレーキ体３３ｂは、円板状でゴムのような弾性体によって構成されており、キックレバー３３のキック部３３ｄに回転しないように取着されている。このブレーキ体３３ｂは、後述するリール本体に着脱可能に設けられる突出部材の外面に接触して、釣糸放出位置のロータの不用意な回転に対して制動力を付与する機能を備えている。なお、前記キックレバー３３はロータの回転軸と略直交する面内において回動可能に支持されるのが好ましいが、キックレバー３３のキック部３３ｄが、支持突起３Ｃを中心として回動された際、ロータの中心側に向けて入り込むことが可能な構成であれば、必ずしも、前記略直交する面内でなくともよく、傾斜されていても良い。
【００３０】
ベール支持部材９が釣糸放出位置へ反転操作された状態でハンドル６を回転させるとキック部３３ｄがリール本体２の前部に一体成形されたカム部２ｆに接触して図３の点線で示すように、キックレバー３３が回転することで、ベール支持部材９を図６、図７の釣糸放出位置から、図４、図５の釣糸巻き取り位置に復帰させることができる。なお、カム部２ｆはリール本体２と別体に成形してもよい。
【００３１】
また、前記キックレバー３３には、前記支持突起３Ｃとの間で、フリクションバネ３５が巻回されており、キックレバー３３は、常時、図３の点線位置となるように付勢されている（図３の点線は、ベール支持部材が図４及び図５の釣糸巻き取り状態の位置を示している）。
【００３２】
前記リール本体２の前部には、キックレバー３３のキック部３３ｄに取着されたブレーキ体３３ｂが接触可能となるように、突出部材４０が着脱可能に設けられている。この突出部材４０は、ロータ３の円筒部３Ｂの内壁３Ｄに沿って延在し、かつ内壁に対して所定間隔をおいて配されるものであり、本実施形態の突出部材４０は、筒状に構成されている。具体的には、図２に示すように、ロータ３の円筒部３Ｂの内壁３Ｄと前記一方向クラッチ１５との間に円周壁部４１が配置されて、一方向クラッチ１５を包囲するカバー体（以下、包囲カバー体４０と称する）として構成されている。
【００３３】
この包囲カバー体４０は、リール本体２の前部に対して容易に着脱できるように、好ましくは、螺合によって取着されている。すなわち、リール本体２の前部には、スプール５側に向けて雄ネジ部２ｅが突出形成されており、前記円周壁部４１には、雄ネジ部２ｅに対して螺合されるように、雌ネジ部４１ａが形成されている。これにより、包囲カバー体４０は、上記した一方向クラッチ１５等の機能部品を組み込んだ後に、リール本体２に対して容易に装着できると共に、ロータ３をリール本体２から外して容易に取り外すことが可能となる。
【００３４】
なお、前記包囲カバー体４０は、一方向クラッチ１５をシールする機能、いわゆる各種部品の防水体としての機能を兼ね備えていても良い。具体的には、本実施形態のように、包囲カバー体４０は、その前端側が駆動軸であるピニオン１３に向けて径方向内側に屈曲された底部４２を具備しており、その底部４２の中央には、ピニオン１３を挿通させる開口４２ａが形成され、この開口４２ａには、シール機構４５が配設されている。このシール機構４５は、駆動軸であるピニオン１３と共に一体回転する回転部との間に設けられていれば良く、図２に示すように、ロータ３の基部３ｆに取着され、開口４２ａの内周面に対して、径方向に当接するゴムリング（パッキン）によって構成することが可能である。また、リール本体２と包囲カバー体４０との間にも、Ｏリング（パッキン）４６が介在されており、包囲カバー体４０は、ロータの制動機能に加え、リール本体２に対して着脱可能で、一方向クラッチ１５全体をシールする機能を備えている。
【００３５】
上記した構成において、移動部材を構成するキックレバー３３は、アルミ合金のような軽金属、或いは樹脂等によって形成することが軽量化の上で好ましいが、他の金属でも可能である。また、突出部材である包囲カバー体４０については、軽量化が図れるように、樹脂等によって形成することが可能である。
【００３６】
上記した構成の魚釣用スピニングリールによれば、ロータ３のカバー体３６により、アーム部３ａの外観保護と前記キックレバー３３の抜け止めの兼用構成としたことにより、前記キックレバー３３の抜け止め用のネジは不要となって簡素化されると共に、ネジの頭部の高さの分、カバー体３６を前記キックレバー３３に可及的に接近させることが可能となり、ロータのアーム部の後方への短縮化を図りながら、リール全体の小型化が可能となる。また、支持突起３Ｃの寸法についてもネジ止めする必要がないので細くできるのでキックレバー３３も小型化することが可能となる。また、前記キックレバー３３のロータ３への後方からのネジ締め付け工程が不要となり、組立て作業時の効率も良い。また、一般的に鉄系金属からなるネジ部品が無くなることに加え、ロータ３の前後方向の寸法が短縮化され各部品が小型化し軽量化も可能となる。なお、本実施形態は、ベール復帰装置と誤復帰防止装置を兼ねた例であるが、ベール復帰装置のみ、或いは、誤復帰防止装置のみ、或いは、他の目的の装置の構成であっても良い。
【００３７】
次に、本発明の別の実施形態について説明する。なお、以下の実施形態では、上記した実施形態と同一の部分については、同一の参照符号を付し、その詳細な説明については省略する。
【００３８】
図９〜図１１は、本発明に係る魚釣用スピニングリールの第２の実施形態を示す図であり、図９は、主要部を拡大した図、図１０は、図４のＢ方向視に対応する底面図、図１１は、図１０のＣ−Ｃ線に沿った主要断面図である。
【００３９】
この実施形態では、キックレバー３３の抜け止めの役割をもつカバー体３６の折曲部３６ｃの内面３６ａには支持突起３Ｃに対向した位置を中心に周辺に対し一段肉厚に形成した肉厚部３６ｄが設けられている。
【００４０】
前記内面３６ａに前記肉厚部３６ｄを設けることで、カバー体３６の前記内面３６ａとキックレバー３３の接触面積が回転中心近傍の肉厚部３６ｄの面積に限定されるので余計な摩擦抵抗がなくなりキックレバー３３の回転が滑らかになる。
【００４１】
また、前記肉厚段部３６ｄの形状は、円形が好ましく、その中心は、支持突起３Ｃの中心と同一軸上とするのが好ましく、その寸法はキックレバー３３と肉厚段部３６ｄの摩耗の集中や摩擦抵抗減少の効果を考慮すると前記支持突起３Ｃの直径に対し１２０〜３００％の範囲が特に好ましい。また、肉厚段部３６ｄの周辺に対する高さは、摩擦抵抗減少の効果および設計自由度の点を考慮すると０．２〜２．５ｍｍが特に好ましい。
【００４２】
また、この肉厚段部３６ｄは、別体でもよく、その場合は、カバー体３６の肉厚段部形成部分を予め凹状として形成し、円板を挿入することで可能となる。また、別体の場合は、摩擦係数の低い材料（例えば、ＰＯＭ樹脂など）を選択すると、作動状態がより良好になる。更に、前記凹状部に潤滑油を保持させることも可能であり、その場合は、円板の中心に穴を設ける方法も有効である。その様にすることで、良好な作動状態を長期に亘り維持することが可能となる。
【００４３】
また、本実施例においては、前記カバー体３６には、略L字状に折曲形成した折曲部３６ｃの（駆動軸側の）端部３６eの両端に係合部３６ｂが形成されており、前記係合部３６ｂはロータ３のアーム部３ａの後端部３Hに形成した壁部からなる規制部３ｈの内側に嵌入して、後方への不要な移動（浮き上がり）を阻止するように構成されている。なお、前記カバー体３６の取り付け方法は、ロータ３に対し図１０のＹ方向から前記係合部３６ｂを差し込むように取り付けられ、その後、第１の実施形態の図４の様に、ネジ３Ｅにて締め付け固定される。このような構成にすることで、前記キックレバー３３を抜け止めするカバー体３６の折曲部３６ｃが外側に変形することが阻止され、抜け止め効果がより強固なものになる。また、キックレバー３３とカバー体３６の折曲部３６ｃの内面３６ａとの接触面の平行度を維持し易くなり、滑らかな動きが長期に亘り維持できる。
【００４４】
以上、本発明の実施形態について説明したが、本発明は、上記した実施形態に限定されることはなく、種々変形することが可能である。例えば、図１２のようにロータ３のアーム部３ａの後端部に形成した支持突起３Cに変えて、移動部材３３側に支持突起３３eを設け、ロータ３のアーム部３ａの後端部には前記支持突起３３ｅを収容支持する凹状の支持部３Jを設けることも可能である。また、移動部材３３の移動の形態についても、移動部材３３がベール支持部材９の反転操作に連動して移動し、移動部材３３の一部が、ロータの径方向内方に向けて入り込むことが可能な構成であれば、回転支持に限定されることはなく、スライド可動の方式でも可能であり、上記のような移動部材３３をカバー体３６の屈曲部３６ｃにより移動部材３３を抜け止め構成としたものなら、全てを含むものである。
【符号の説明】
【００４５】
１・・・リール、２・・・リール本体、２ｆ・・・カム、３・・・ロータ、３ａ・・・アーム部、３ｈ・・・規制部、３Ｂ・・・円筒部、３Ｄ・・・内壁、３Ｃ・・・支持突起（支持部）、３Ｅ・・・雄ネジ、３Ｆ・・・雌ネジ部、３Ｈ・・・アーム部の後端部、３J・・・凹状の支持部、５・・・スプール、６・・・ハンドル、９・・・ベール支持部材、１０・・・釣糸案内部、１５・・・一方向クラッチ、３３・・・キックレバー（移動部材）、３３ｄ・・・キック部、３６・・・カバー体、３６ａ・・・折曲部の内面、３６ｂ・・・係合部、３６ｃ・・・折曲部、３６ｄ・・・肉厚部、３６ｅ・・・折曲部の端部、４０・・・突出部材（包囲カバー体）
【図１】
2011030500.tif 000003
【図２】
2011030500.tif 000004
【図３】
2011030500.tif 000005
【図４】
2011030500.tif 000006
【図５】
2011030500.tif 000007
【図６】
2011030500.tif 000008
【図７】
2011030500.tif 000009
【図８】
2011030500.tif 000010
【図９】
2011030500.tif 000011
【図１０】
2011030500.tif 000012
【図１１】
2011030500.tif 000013
【図１２】
2011030500.tif 000014